(57)【要約】      （修正有）【課題】蛍光表示管の振れをなくし、その脚部が落下のとき等に折れることを防げ、天板からの負荷が蛍光表示管に直接かかることをなくせる蛍光表示管保持構造を提供する。【解決手段】ビデオデッキにおける蛍光表示管２を保持してその振動を防ぐようにするとともに、天板４の凹みをなくすための天板押えとを兼ねるようにし、ビデオデッキ内の基板１に取り付けられた蛍光表示管２の後面側にブロック体からなる振動押え部材３が基板１に取り付けられ、この振動押え部材３の前面側に蛍光表示管２を抱き込むように左右一対の平面視略Ｌ字形の保持用腕部３ａ、３ａが突設され、振動押え部材３は下面側に下向きに設けられた係止爪部３ｂ、３ｃが基板１に穿設された係入孔１ａ、１ｂに係入係止された状態で基板１に取り付けられ、振動押え部材３の上面が天板４の下面に接することで天板押えの役目を持ってこの天板４が凹むことを防ぐように構成した。【選択図】図１
2006023628.tif 000002
【特許請求の範囲】
【請求項１】
ビデオデッキにおける蛍光表示管を保持してその振動を防ぐようにするとともに、天板の凹みをなくすための天板押えとを兼ねるようにした蛍光表示管保持構造において、前記ビデオデッキ内の基板に取り付けられた前記蛍光表示管の後面側にブロック体からなる振動押え部材が前記基板に取り付けられ、この振動押え部材の前面側に前記蛍光表示管を抱き込むように左右一対の平面視略Ｌ字形の保持用腕部が突設され、前記振動押え部材は下面側に下向きに設けられた係止爪部が前記基板に穿設された係入孔に係入係止された状態で前記基板に取り付けられ、前記振動押え部材の上面が天板の下面に接することで天板押えの役目を持ってこの天板が凹むことを防ぐように構成したことを特徴とする蛍光表示管保持構造。
【請求項２】
光ディスク装置やビデオデッキ等の電気機器における蛍光表示管を保持してその振動を防ぐようにした蛍光表示管保持構造において、前記電気機器内の基板に取り付けられた前記蛍光表示管の後面側に振動押え部材が前記基板に取り付けられ、この振動押え部材の前面側に前記蛍光表示管を抱き込むように左右一対の平面視略Ｌ字形の保持用腕部が突設されていることを特徴とする蛍光表示管保持構造。
【請求項３】
前記振動押え部材は、その上面が天板の下面に接していて、この天板の凹みを防ぐように構成されている請求項２に記載の蛍光表示管保持構造。
【請求項４】
前記振動押え部材は、ブロック体の内部を空洞化して軽量化されている請求項２又は３に記載の蛍光表示管保持構造。
【請求項５】
前記振動押え部材の上面に前記天板に形成された凹条部分が入り込む凹部が形成されている請求項３又は４に記載の蛍光表示管保持構造。
【請求項６】
前記蛍光表示管の前面側に配置されるフロントパネルの裏面側に、前記蛍光表示管の上面を塞いで蛍光表示管からの光が上方に逃げることを防ぐための平板状傘部が後向きに突設されている請求項２乃至５のいずれかに記載の蛍光表示管保持構造。
【発明の詳細な説明】
【技術分野】
【０００１】
本発明は、光ディスク装置やビデオデッキ等の電気機器における蛍光表示管を保持してその振動を防ぐようにした蛍光表示管保持構造に関するものである。
【背景技術】
【０００２】
従来のビデオデッキでは、このビデオデッキのメカデッキを動作させるたびに、ビデオデッキ内の基板に取り付けられた蛍光表示管が振れて、この蛍光表示管の脚部に負荷が掛かりこの脚部が折れやすくなるという問題があった。
【０００３】
第１の従来技術を図６（ａ）（ｂ）に示す。これは、図６（ａ）（ｂ）に示すように、透光性部材で形成されたＬＣＤ窓１２３を有する機器筐体２２１内にＬＣＤ窓１２３の内壁面１３４に対向させてＬＣＤ１２２が取り付けられるＬＣＤの取付構造において、ＬＣＤ窓１２３は内壁面１３４の周縁部にスペーサ部１３６が突出して設けられ，ＬＣＤ１２２はその周縁部がスペーサ部１３６に押し付けられている。（例えば、特許文献１参照）。
【０００４】
ところが、これにおいては、機器筐体２２１とスペーサ部１３６との間に隙間が生じている。このために、全体的に振れてしまう虞があった。また、各部品が一体化されずにバラバラに組み付けられていた。
【０００５】
第２の従来技術を図７に示す。これは、図７に示すように、ストロボ発光管２０８などを載置したストロボ基板２１６にはリード線２２２によりメインコンデンサ２１８が配線されている。後カバー２０３と一体で形成され係止穴２２０で前カバーと結合している揺れ止め兼用係止爪２１９は、メインコンデンサ２１８の円筒形の端部にストロボ発光管２０８の外周に当接している。また、本体部２０１には一体でリブ２２３がメインコンデンサ２１８の方向に突設されている。（例えば、特許文献２参照）。
【０００６】
ところが、これにおいては、本体部２０１からの押圧によってメインコンデンサ２１８に負荷がかかるという問題があった。
【特許文献１】特開平３−２３８４９２号公報
【特許文献２】特開平６−１３８５２３号公報
【発明の開示】
【発明が解決しようとする課題】
【０００７】
本発明は、上記従来の問題に鑑みてなされたものであって、蛍光表示管の振れをなくすことができて、その脚部が落下のとき等に折れることを防ぐことができ、天板からの負荷が蛍光表示管に直接かかることをなくすことができる蛍光表示管保持構造を提供することを目的としている。
【課題を解決するための手段】
【０００８】
本発明は、上記課題を解決するために提案されたものであって、請求項１に記載の発明は、ビデオデッキにおける蛍光表示管を保持してその振動を防ぐようにするとともに、天板の凹みをなくすための天板押えとを兼ねるようにした蛍光表示管保持構造において、前記ビデオデッキ内の基板に取り付けられた前記蛍光表示管の後面側にブロック体からなる振動押え部材が前記基板に取り付けられ、この振動押え部材の前面側に前記蛍光表示管を抱き込むように左右一対の平面視略Ｌ字形の保持用腕部が突設され、前記振動押え部材は下面側に下向きに設けられた係止爪部が前記基板に穿設された係入孔に係入係止された状態で前記基板に取り付けられ、前記振動押え部材の上面が天板の下面に接することで天板押えの役目を持ってこの天板が凹むことを防ぐように構成したことを特徴としている。
【０００９】
請求項２に記載の発明は、光ディスク装置やビデオデッキ等の電気機器における蛍光表示管を保持してその振動を防ぐようにした蛍光表示管保持構造において、前記電気機器内の基板に取り付けられた前記蛍光表示管の後面側に振動押え部材が前記基板に取り付けられ、この振動押え部材の前面側に前記蛍光表示管を抱き込むように左右一対の平面視略Ｌ字形の保持用腕部が突設されていることを特徴としている。
【００１０】
請求項３に記載の発明は、前記振動押え部材は、その上面が天板の下面に接していて、この天板の凹みを防ぐように構成されている。
【００１１】
請求項４に記載の発明は、前記振動押え部材は、ブロック体の内部を空洞化して軽量化されている。
【００１２】
請求項５に記載の発明は、前記振動押え部材の上面に前記天板に形成された凹条部分が入り込む凹部が形成されている。
【００１３】
請求項６に記載の発明は、前記蛍光表示管の前面側に配置されるフロントパネルの裏面側に、前記蛍光表示管の上面を塞いで蛍光表示管からの光が上方に逃げることを防ぐための平板状傘部が後向きに突設されている。
【発明の効果】
【００１４】
請求項１に記載の発明によれば、蛍光表示管をブロック体からなる振動押え部材の左右一対の保持用腕部で抱き込んでいるので、蛍光表示管の振れをなくすことができて、その脚部が落下のとき等に折れることを防ぐことができ、天板からの負荷が蛍光表示管に直接かかることをなくすことができる。また、振動押え部材の上面が天板の下面に接しているので、天板の凹みを防ぐことができ、しかも天板からの負荷が蛍光表示管に直接掛かることを防ぐことができる。
【００１５】
請求項２に記載の発明によれば、蛍光表示管をブロック体からなる振動押え部材の左右一対の保持用腕部で抱き込んでいるので、蛍光表示管の振れをなくすことができる。
【００１６】
請求項３に記載の発明によれば、振動押え部材の上面が天板の下面に接しているので、天板の凹みを防ぐことができ、しかも天板からの負荷が蛍光表示管に直接掛かることを防ぐことができる。
【００１７】
請求項４に記載の発明によれば、ブロック体からなる振動押え部材の内部が空洞化されているので、この振動押え部材を軽量化することができ、しかも材料費のコストを少なくすることができる。
【００１８】
請求項５に記載の発明によれば、天板の凹条部分が振動押え部材の凹部に入り込むので、振動押え部材の位置決めが行い易く、しかも天板の擦れを防止することができる。
【００１９】
請求項６に記載の発明によれば、フロントパネルの裏面側の平板状傘部で蛍光表示管の上面を塞いでいるので、蛍光表示管からの光が上方に逃げることを防ぐことができる。
【発明を実施するための最良の形態】
【００２０】
以下、本発明に係る蛍光表示管保持構造の実施の形態について、図を参照しつつ説明する。
【００２１】
図１は本発明の第１実施形態の蛍光表示管保持構造を示し、（ａ）はその斜視図、（ｂ）はその部分下面図、（ｃ）はその振動押え部材が基板に取り付けられている部分の断面図である。
【００２２】
この第１実施形態の蛍光表示管保持構造は、図１（ａ）（ｂ）（ｃ）に示すように、ビデオデッキ内の基板１に複数の脚部２ａが取り付けられた蛍光表示管２の後面側にブロック体からなる振動押え部材３が基板１に取り付けられている。この振動押え部材３の前面側に蛍光表示管２を抱き込むように左右一対の平面視略Ｌ字形の保持用腕部３ａ、３ａが突設されている。また、振動押え部材３は下面側に下向きに設けられた左右一対の係止爪３ｂ、３ｃが基板１に穿設された係入孔１ａ、１ｂに係入係止された状態で基板１に取り付けられている。また、振動押え部材３の上面が天板４の下面に接することで天板押えの役目を持ってこの天板４が凹むことを防ぐようにしている。
【００２３】
従って、この第１実施形態によれば、蛍光表示管２をブロック体からなる振動押え部材３の左右一対の保持用腕部３ａ、３ａで抱き込んでいるので、蛍光表示管２の振れをなくすことができて、その脚部２ａが落下のとき等に折れることを防ぐことができ、天板４からの負荷が蛍光表示管２に直接かかることをなくすことができる。また、振動押え部材３の上面が天板４の下面に接しているので、天板４の凹みを防ぐことができ、しかも天板４からの負荷が蛍光表示管２に直接掛かることを防ぐことができる。
【００２４】
図２は第２実施形態の蛍光表示管保持構造を示す斜視図、図３は同保持構造の正面図である。尚、上記した第１実施形態と同一部材、同一箇所には同一符号を付して、その説明を省略する。
【００２５】
この第２実施形態の蛍光表示管保持構造は、図１、図２に示すように、振動押え部材３は、ブロック体の内部を２箇所の凹設部３ｄ、３ｅによって空洞化して軽量化されている。また、振動押え部材３の上面に天板４に形成された凹条部分４ａ、４ｂが入り込む２箇所の凹部３ｆ、３ｇが形成されている。
【００２６】
従って、この第２実施形態によれば、ブロック体からなる振動押え部材３の内部が２箇所の凹設部３ｄ、３ｅによって空洞化されているので、この振動押え部材３を軽量化することができ、しかも材料費のコストを少なくすることができる。また、天板４の凹条部分４ａ、４ｂが振動押え部材３の凹部３ｆ、３ｇに入り込むので、振動押え部材３の位置決めが行い易く、しかも天板４の擦れを防止することができる。
【００２７】
図４は第３実施形態の蛍光表示管保持構造の内部構造を示す斜視図、図５は同保持構造のフロントパネルの正面側から見た斜視図である。尚、上記した第１実施形態と同一部材、同一箇所には同一符号を付して、その説明を省略する。
【００２８】
この第３実施形態の蛍光表示管保持構造は、図４、図５に示すように、蛍光表示管２の前面側に配置されるフロントパネル５の裏面側に、蛍光表示管２の上面を塞いで蛍光表示管２からの光が上方に逃げることを防ぐための平板状傘部５ａが後向きに突設されている。尚、符号５ｂはフロントパネル５に設けられた窓部である。
【００２９】
この第３実施形態によれば、フロントパネル５の裏面側の平板状傘部５ａで蛍光表示管２の上面を塞いでいるので、蛍光表示管２からの光が上方に逃げることを防ぐことができる。
【図面の簡単な説明】
【００３０】
【図１】本発明の第１実施形態の蛍光表示管保持構造を示し、（ａ）はその斜視図、（ｂ）はその部分下面図、（ｃ）はその振動押え部材が基板に取り付けられている部分の断面図であ。
【図２】第２実施形態の蛍光表示管保持構造を示す斜視図である。
【図３】同保持構造の正面図である。
【図４】第３実施形態の蛍光表示管保持構造の内部構造を示す斜視図である。
【図５】同保持構造のフロントパネルの正面側から見た斜視図である。
【図６】従来のＬＣＤの取付構造を示し、（ａ）はその分解斜視図、（ｂ）はその断面図である。
【図７】従来のストロボ装置内蔵のレンズ付きフイルムユニットのストロボ基板周辺を真上から見たときの平面図である。
【符号の説明】
【００３１】
１          基板
１ａ、１ｂ  係入孔
２          蛍光表示管
２ａ        脚部
３          振動押え部材
３ａ        平面視略Ｌ字形の保持用腕部
３ｂ、３ｃ  係止爪
３ｄ、３ｅ  凹設部
３ｆ、３ｇ  凹部
４          天板
４ａ、４ｂ  凹条部分
５          フロントパネル
５ａ        平板状傘部
５ｂ        窓部
【図１】
2006023628.tif 000003
【図２】
2006023628.tif 000004
【図３】
2006023628.tif 000005
【図４】
2006023628.tif 000006
【図５】
2006023628.tif 000007
【図６】
2006023628.tif 000008
【図７】
2006023628.tif 000009